(57)【要約】【課題】  構造を簡単かつ小型にし、連続的に汚濁液を濾過すると共に、濾過フィルタに付着した固形物を濾過フィルタと共に回収及び廃棄処理を可能にすること。【解決手段】  固形物と液体の混在した汚濁液を貯留する汚濁槽２内に液密状態で回転駆動される濾過ドラム１０の上部側の近接位置に、濾過ドラムと同期して回転可能な供給用ローラ２０及び排出用ローラ３０を配設し、濾過ドラム内に、両ローラ間における汚濁槽内と濾過ドラム内との連通を遮断する目隠し部材４０を配設する。ロール体３から引き出される濾過フィルタ４を、供給用ローラを介して濾過ドラムに巻き付けると共に、排出用ローラを介して汚濁槽の外部に回収可能に形成する。濾過ドラムと両ローラの回転により、濾過フィルタを連続的に濾過ドラムに巻き付けて移動しつつ、負圧手段の負圧により汚濁液の固形物と浄化液体とを分離し、濾過フィルタに付着した固形物を濾過フィルタと共に回収する。【選択図】    図２
2006305430.tif 000002
【特許請求の範囲】
【請求項１】
固形物と液体の混在した汚濁液を貯留する汚濁槽と、
多数の孔を有する外周面に濾過フィルタを設け、濾過後の浄化液体を上記汚濁槽の外部に流出させるために側面に開口した開口部を有し、かつ、上記汚濁槽内において液密状態で回転駆動される濾過ドラムと、
上記開口部に連通され、上記濾過フィルタによる吸引濾過に必要な負圧を発生する負圧手段と、を具備する濾過装置において、
上記濾過ドラムの上部側の近接位置に配設され、それぞれ濾過ドラムと同期して回転可能な供給用ローラ及び排出用ローラと、
上記濾過ドラム、供給用ローラ及び排出用ローラを回転する駆動手段と、
上記濾過ドラム内に配設され、上記両ローラ間における上記汚濁槽内と濾過ドラム内との連通を遮断する目隠し部材と、を具備してなり、
ロール体から引き出される濾過フィルタを、上記供給用ローラを介して上記濾過ドラムに巻き付けると共に、上記排出用ローラを介して上記汚濁槽の外部に回収可能に形成し、上記濾過ドラムと上記供給用ローラ及び排出用ローラの回転により、上記濾過フィルタを連続的に濾過ドラムに巻き付けて移動しつつ、上記負圧手段の負圧により汚濁液の固形物と浄化液体とを分離し、濾過フィルタに付着した固形物を濾過フィルタと共に回収する、ことを特徴とする連続濾過装置。
【請求項２】
請求項１記載の連続濾過装置において、
上記濾過ドラムを回転自在に支持すると共に、上記目隠し部材を支持する支持部材と、
上記支持部材によって支持され、上記濾過ドラム内における下部側の２箇所に接触する保持ローラと、を更に具備する、ことを特徴とする連続濾過装置。
【発明の詳細な説明】
【技術分野】
【０００１】
この発明は、連続濾過装置に関するもので、更に詳細には、例えば、工作機械において金属切削加工に使用され、切粉を含んだ状態の切削油等の汚濁液を濾過する連続濾過装置に関するものである。
【０００２】
従来この種の濾過装置として、汚濁液を貯留する汚濁槽と、この汚濁槽内において汚濁槽に対して液密状態で回転駆動されると共に、外周面に巻回された濾過フィルタにより濾過される液体を汚濁槽外に流出する濾過ドラムを具備する装置が知られている（例えば、特許文献１参照）。
【０００３】
上記濾過装置においては、使用により濾過フィルタが目詰まりを生じるため、濾過フィルタを洗浄する噴射ノズルが設けられている。また、濾過フィルタによって分離された汚濁液中の固形物は掬上手段によって回収箱に回収されている。
【０００４】
また、濾過フィルタの目詰まりを防止する手段として、回転可能な円筒状をなし、外周面に孔を有する濾過器にフィルターエレメントを巻いて移動させて濾過を行い、濾過後のフィルターエレメントをスラジ回収装置に導いて、汚濁したフィルターエレメントをスラジ落としによって付着物を掃除する濾過装置が知られている（例えば、特許文献２参照）。
【０００５】
また、フィルタによって分離された汚濁液中の固形物を回収する方法として、回転するフィルタドラムの外周面に濾過材（珪藻土等）をプリコートし、フィルタドラムを回転させつつフィルタドラム内を真空パイプによって吸引することにより、汚濁液を濾過・脱水し、プリコート層に付着した脱水ケーキをカッタによってプリコート層の一部と共に掻き取って排出する方法が知られている（例えば、特許文献３参照）。
【特許文献１】特開平１１−９９３０８号公報（特許請求の範囲、段落番号０００１、図２、図３）
【特許文献２】特開平３−２２４６０５号公報（特許請求の範囲、第１図、第２図）
【特許文献３】特開平９−１７３７２１号公報（特許請求の範囲、段落番号０００１、図２）
【発明の開示】
【発明が解決しようとする課題】
【０００６】
しかしながら、特許文献１に記載の技術においては、使用により濾過フィルタが目詰まりを生じた場合、噴射ノズルによって洗浄することができるが、洗浄中に濾過処理を停止しなければならないため、濾過効率が低下するという問題がある。また、噴射ノズルの他に掬上手段を設けるため、装置が複雑かつ大型化するという問題がある。
【０００７】
また、特許文献２に記載の技術においては、フィルターエレメントに付着した付着物をスラジ回収装置によって掃除することができるが、これにおいても装置が複雑かつ大型化するという問題がある。
【０００８】
また、特許文献３に記載の技術においては、フィルタドラムの外周面に珪藻土等の濾過材をプリコートし、また、プリコート層に付着した脱水ケーキをカッタによってプリコート層の一部と共に掻き取った後、脱水ケーキを焼却することにより生じた灰を再生利用するため、装置が複雑になると共に、大型化するという問題がある。
【０００９】
また、この種の濾過装置においては、濾過によって分離された汚濁液中の固形物の回収及び廃棄処理が重要な課題となっている。
【００１０】
この発明は、上記事情に鑑みてなされたもので、構造を簡単かつ小型にし、連続的に汚濁液を濾過することができると共に、濾過フィルタに付着した固形物を使用済みの濾過フィルタと共に回収及び廃棄処理可能にした連続濾過装置を提供することを目的とするものである。
【課題を解決するための手段】
【００１１】
上記課題を解決するために、請求項１記載の連続濾過装置は、固形物と液体の混在した汚濁液を貯留する汚濁槽と、  多数の孔を有する外周面に濾過フィルタを設け、濾過後の浄化液体を上記汚濁槽の外部に流出させるために側面に開口した開口部を有し、かつ、上記汚濁槽内において液密状態で回転駆動される濾過ドラムと、  上記開口部に連通され、上記濾過フィルタによる吸引濾過に必要な負圧を発生する負圧手段と、を具備する濾過装置を前提とし、  上記濾過ドラムの上部側の近接位置に配設され、それぞれ濾過ドラムと同期して回転可能な供給用ローラ及び排出用ローラと、  上記濾過ドラム、供給用ローラ及び排出用ローラを回転する駆動手段と、  上記濾過ドラム内に配設され、上記両ローラ間における上記汚濁槽内と濾過ドラム内との連通を遮断する目隠し部材と、を具備してなり、  ロール体から引き出される濾過フィルタを、上記供給用ローラを介して上記濾過ドラムに巻き付けると共に、上記排出用ローラを介して上記汚濁槽の外部に回収可能に形成し、上記濾過ドラムと上記供給用ローラ及び排出用ローラの回転により、上記濾過フィルタを連続的に濾過ドラムに巻き付けて移動しつつ、上記負圧手段の負圧により汚濁液の固形物と浄化液体とを分離し、濾過フィルタに付着した固形物を濾過フィルタと共に回収する、ことを特徴とする。
【００１２】
このように構成することにより、目隠し部材によって汚濁槽内と濾過ドラム内との連通を遮断した状態で、ロール体から引き出された濾過フィルタを、供給用ローラを介して濾過ドラムに巻き付けると共に、排出用ローラを介して汚濁槽の外部に導くことができる。また、濾過ドラムと供給用ローラ及び排出用ローラを回転して、濾過フィルタを連続的に濾過ドラムに巻き付けて移動しつつ、負圧手段を作動して、濾過フィルタによる吸引濾過によって汚濁液の固形物と浄化液体とを分離し、濾過フィルタに付着した固形物を濾過フィルタと共に回収することができる。
【００１３】
請求項２記載の発明は、請求項１記載の連続濾過装置において、上記濾過ドラムを回転自在に支持すると共に、上記目隠し部材を支持する支持部材と、上記支持部材によって支持され、上記濾過ドラム内における下部側の２箇所に接触する保持ローラと、を更に具備する、ことを特徴とする。
【００１４】
このように構成することにより、回転する濾過ドラムに対して供給用ローラと排出用ローラの間における汚濁槽内と濾過ドラム内との連通を目隠し部材によって確実に遮断することができ、また、濾過ドラムは、供給用ローラ及び排出用ローラと２つの保持ローラに接触するので、濾過ドラムの回転を安定させることができる。
【発明の効果】
【００１５】
この発明の連続濾過装置によれば、上記のように構成されているので、以下のような効果が得られる。
【００１６】
（１）請求項１記載の発明によれば、目隠し部材によって汚濁槽内と濾過ドラム内との連通を遮断した状態で、ロール体から引き出された濾過フィルタを、供給用ローラを介して濾過ドラムに巻き付けると共に、排出用ローラを介して汚濁槽の外部に導くことができ、濾過フィルタを連続的に濾過ドラムに巻き付けて移動しつつ、濾過フィルタによる吸引濾過によって汚濁液の固形物と浄化液体とを分離し、濾過フィルタに付着した固形物を濾過フィルタと共に回収することができるので、連続的に汚濁液を濾過することができると共に、濾過フィルタに付着した固形物を使用済みの濾過フィルタと共に回収でき、かつ、廃棄処理を容易にすることができる。また、構造を簡単荷することができると共に、装置の小型化を図ることができる。
【００１７】
（２）請求項２記載の発明によれば、回転する濾過ドラムに対して供給用ローラと排出用ローラの間における汚濁槽内と濾過ドラム内との連通を目隠し部材によって確実に遮断することができ、また、濾過ドラムの回転を安定させることができるので、上記（１）に加えて、更に装置の信頼性の向上を図ることができる。
【発明を実施するための最良の形態】
【００１８】
以下に、この発明の最良の実施形態を添付図面に基づいて詳細に説明する。
【００１９】
図１は、この発明に係る連続濾過装置の第１実施形態を示す概略斜視図、図２は、上記連続濾過装置の要部を示す概略断面図である。
【００２０】
上記連続濾過装置は、図１及び図２に示すように、固形物と液体の混在した汚濁液１を貯留する汚濁槽２と、汚濁槽２内において液密状態で回転駆動される濾過ドラム１０と、ロール体３から引き出されて濾過ドラム１０の外周面に巻き付けられる濾過フィルタ４と、濾過ドラム１０の側面に設けられた開口部１１に連通され、濾過フィルタ４による吸引濾過に必要な負圧を発生する負圧手段である真空ポンプ５と、濾過ドラム１０の上部側の近接位置に配設され、それぞれ濾過ドラム１０と同期して回転可能な供給用ローラ２０及び排出用ローラ３０と、濾過ドラム１０内に配設され、両ローラ２０，３０間における汚濁槽２内と濾過ドラム１０内との連通を遮断する目隠し部材４０と、濾過ドラム１０，供給用ローラ２０及び排出用ローラ３０を回転する駆動手段５０とで主に構成されている。
【００２１】
上記汚濁槽２は、仕切壁６によって濾過を行う内槽２ａと外槽２ｂとに区画されており、内槽２ａからオーバーフローした汚濁液１を受け止める外槽２ｂの下部に一端が連通する循環管路７の他端が内槽２ａの上部に開口しており、循環管路７に開設された循環ポンプ８の駆動によって外槽２ｂ内の汚濁液１が内槽２ａ内に供給されるように構成されている。
【００２２】
上記濾過ドラム１０は、外周面に多数の孔１２を有すると共に、濾過後の浄化液体を汚濁槽２の外部に流出させるために側面に開口した開口部１１を有している。この開口部１１に接続する管路９に上記真空ポンプ５が介設されている。また、濾過ドラム１０の一方の端部には同期用歯車付円盤１３が装着されている。この同期用歯車付円盤１３の歯車１４には、供給用ローラ２０の端部に装着された供給用歯車２１が噛合すると共に、排出用ローラ３０の端部に装着された排出用歯車３１が噛合されている。
【００２３】
この場合、濾過ドラム１０は、汚濁槽２の内槽２ａの底部に設置される支持部材１５によって回転自在に支持されている。また、支持部材１５によって上記目隠し部材４０が濾過ドラム１０内の長手方向に沿って支持されている。
【００２４】
また、支持部材１５の両側下部には、半径方向の下方に向かって支持腕１５ａ，１５ｂが突設されており、両支持腕１５ａ，１５ｂの先端部には、それぞて濾過ドラム１０の内壁面に接触する回転可能な保持ローラ１６ａ，１６ｂが装着されている。この場合、両保持ローラ１６ａ，１６ｂの間隔（角度）は約１２０°になっている。これにより、濾過ドラム１０の上部の２箇所が供給用ローラ２０及び排出用ローラ３０（具体的には、供給用歯車２１及び排出用歯車３１）に接触し、下部の２箇所が保持ローラ１６ａ，１６ｂに接触した状態で回転するので、濾過ドラム１０は安定した状態で回転することができる。
【００２５】
また、上記供給用ローラ２０の端部に装着される供給用歯車２１には、従動プーリ５１が一体に設けられており、この従動プーリ５１と、供給用ローラ２０の上方に配置される駆動手段である駆動モータ５０の駆動軸５０ａに装着された駆動プーリ５２に、駆動ベルト５３が掛け渡されている（図２参照）。なお、ここでは、駆動モータ５０を供給用ローラ２０の上方に配置し、ロール体３を汚濁槽２の側部上方に配置した場合について説明したが、図３に示すように、ロール体３を濾過ドラム１０の上方位置に配置し、駆動モータ５０を供給用ローラ２０の斜め上方位置に配置してもよい。
【００２６】
なお、供給用ローラ２０及び排出用ローラ３０は、図示しない支持部例えば支持部材１５に設けられる支持部に回転可能に支持されている。
【００２７】
上記濾過フィルタ４は、例えば紙，布あるいは不織布等によって形成されており、ロール状に巻回されたロール体３をなしている。このロール体３から引き出される濾過フィルタ４は、供給用ローラ２０を介して濾過ドラム１０の外周面に巻き付けられた後、排出用ローラ３０を介して汚濁槽２の外部に導かれ、汚濁槽２の側部上方に配設されたガイドローラ６０を介して汚濁槽２の外部に配設された回収容器７０内に回収可能になっている。この際、濾過ドラム１０における供給用ローラ２０と排出用ローラ３０の間には濾過フィルタ４が巻き付けられていないが、この領域には目隠し部材４０が配設されることによって汚濁槽２内と濾過ドラム１０内との連通が遮断されている。
【００２８】
次に、この発明に係る連続濾過装置の動作態様について説明する。
【００２９】
まず、ロール体３から引き出される濾過フィルタ４を、供給用ローラ２０を介して濾過ドラム１０の外周面に巻き付けた後、排出用ローラ３０を介して汚濁槽２の外部に導く。この状態で、駆動モータ５０を駆動すると共に、真空ポンプ５を駆動する。駆動モータ５０の駆動により、駆動プーリ５２を介して供給用ローラ２０が供給方向（反時計方向）に回転し、次いで、供給用歯車２１と噛合する歯車１４を有する濾過ドラム１０が回転（時計方向に回転）する。また、濾過ドラム１０の回転に伴って歯車１４と噛合する排出用歯車３１を有する排出用ローラ３０が排出方向（反時計方向）に回転する。これにより、濾過フィルタ４を連続的に濾過ドラム１０に巻き付けて移動しつつ、真空ポンプ５の負圧により汚濁液１の固形物と浄化液体とを分離し、濾過フィルタ４に付着した固形物を濾過フィルタ４と共に回収容器７０内に回収することができる。この濾過処理中においては、外槽２ｂ内の汚濁液１は循環ポンプ８の駆動により、循環管路７を介して内槽２ａ内に供給される。回収容器７０内に回収された固形物は使用済みの濾過フィルタ４に付着した状態で廃棄例えば焼却処理される。
【図面の簡単な説明】
【００３０】
【図１】この発明に係る連続濾過装置の第１実施形態を示す概略斜視図である。
【図２】上記連続濾過装置の要部を示す概略断面図である。
【図３】この発明に係る連続濾過装置の第２実施形態の要部を示す概略断面図である。
【符号の説明】
【００３１】
１  汚濁液
２  汚濁槽
３  ロール体
４  濾過フィルタ
５  真空ポンプ（負圧手段）
１０  濾過ドラム
１１  開口部
１２  孔
１３  同期用歯車付円盤
１４  歯車
１５  支持部材
１５ａ，１５ｂ  支持腕
１６ａ，１６ｂ  保持ローラ
２０  供給用ローラ
２１  供給用歯車
３０  排出用ローラ
３１  排出用歯車
４０  目隠し部材
５０  駆動モータ（駆動手段）
５１  従動プーリ
５２  駆動プーリ
５３  駆動ベルト
７０  回収容器
【図１】
2006305430.tif 000003
【図２】
2006305430.tif 000004
【図３】
2006305430.tif 000005